(57)【要約】 【課題】管体相互を止水を確保して分離可能に連結一体化できると共に、その連結を簡易且つ確実に行うことのできる管体の止水連結装置を提供する。【解決手段】連結されるべき両管体６，６の連結側の端部開口９，９を止水キャップ部材１０，１０で閉蓋する。止水キャップ部材１０は、管体６の軸線方向に窪む収容凹部４０が形成された有底の筒状を呈する。一方の止水キャップ部材の端部に設けられた雌ネジ連結片４９と他方の止水キャップ部材１０の端部に設けられた雄ネジ連結片５７とを螺合により係合一体化させ得る。この係合一体化により両収容凹部４０，４０が連なって形成された収容空所に、連結杆７が収容せしめられる。【選択図】図２
2006105239.tif 000002
【特許請求の範囲】
【請求項１】
管体相互を連結杆を介して連結一体化する管体の止水連結装置であって、両管体の連結側の端部開口は、管体内への水の侵入を防止する止水キャップ部材で閉蓋されており、各止水キャップ部材は、管体の連結側の端部で開口し且つ管体の軸線方向に窪むことによって収容凹部が形成された有底の筒状を呈し、一方の止水キャップ部材の端部に設けられた連結片と他方の止水キャップ部材の端部に設けられた連結片とが分離可能に係合一体化されることにより、前記両収容凹部が連なって収容空所が形成され、該収容空所に、前記両収容凹部に跨がって存する如く前記連結杆が略密接状態で収容されることを特徴とする管体の止水連結装置。
【請求項２】
管体相互を連結杆を介して連結一体化する管体の止水連結装置であって、両管体の連結側の端部開口は、管体内への水の侵入を防止する止水キャップ部材で閉蓋されており、各止水キャップ部材は、管体の連結側の端部で開口し且つ管体の軸線方向に窪むことによって収容凹部が形成された有底の筒状を呈し、一方の止水キャップ部材の端部に設けられた雄ネジ連結片と他方の止水キャップ部材の端部に設けられた雌ネジ連結片とが螺合によって分離可能に係合一体化されることにより、前記両収容凹部が連なって収容空所が形成され、該収容空所に、前記両収容凹部に跨がって存する如く前記連結杆が略密接状態で収容されることを特徴とする管体の止水連結装置。
【請求項３】
管体相互を連結杆を介して連結一体化する管体の止水連結装置であって、両管体の連結側の端部開口は、管体内への水の侵入を防止する止水キャップ部材で閉蓋されており、各止水キャップ部材は、管体の連結側の端部で開口し且つ管体の軸線方向に窪むことによって収容凹部が形成された有底の筒状を呈し、一方の止水キャップ部材の端部に設けられた係合連結片と他方の止水キャップ部材の端部に設けられた係合連結片とが、前記止水キャップ部材の軸線回りに相対的に逆方向に回動されて分離可能に係合一体化されることにより、前記両収容凹部が連なって収容空所が形成され、該収容空所に、前記両収容凹部に跨がって存する如く前記連結杆が略密接状態で収容されることを特徴とする管体の止水連結装置。
【請求項４】
管体相互を連結杆を介して連結する管体の止水連結装置であって、両管体の連結側の端部は、管体内への水の侵入を防止する止水キャップ部材で閉蓋されており、各止水キャップ部材は、管体の連結側の端部で開口し且つ管体の軸線方向に窪むことによって収容凹部が形成された有底の筒状を呈し、両止水キャップ部材の端部相互の突き合わせ部分を外側から覆うように且つ該連結筒体と前記突き合わせ部分との螺合によって該連結筒体と該突き合わせ部分とが分離可能に係合一体化されることにより、前記両収容凹部が連なって収容空所が形成され、該収容空所に、前記両収容凹部に跨がって存する如く前記連結杆が略密接状態で収容されることを特徴とする管体の止水連結装置。
【請求項５】
前記一方の止水キャップ部材は、合成樹脂製のものであり、前記管体の連結側の端部分に挿入せしめられる、一端が開口した有底の筒体を具え、該筒体の内部は前記収容凹部とされており、又、前記筒体の開口端には外方に張り出す環状鍔部が周設されると共に該環状鍔部に前記筒体を囲む囲壁部が周設され、該囲壁部と前記筒体との間に、前記管体の前記端部分の周壁部を密接に嵌入させ得る環状嵌入溝が形成されており、又前記環状鍔部には、前記筒体の軸線と同心に、内面に雌ネジが設けられた雌ネジ筒部が突設されており、又、前記他方の止水キャップ部材は、合成樹脂製のものであり、前記管体の連結側の端部分に挿入せしめられる、一端が開口した有底の筒体を具え、該筒体の内部は前記収容凹部となされており、又、前記筒体の開口端には外方に張り出す環状鍔部が周設されると共に該環状鍔部に前記筒体を囲む囲壁部が周設され、該囲壁部と前記筒体との間に、前記管体の前記端部分の周壁部を密接に嵌入させ得る環状嵌入溝が形成されており、又前記環状鍔部には、前記筒体の軸心と同心に、前記雌ネジ筒部に螺合し得る雄ネジが外面に設けられた雄ネジ筒部が突設されていることを特徴とする請求項２記載の管体の止水連結装置。
【請求項６】
前記一方の止水キャップ部材は、合成樹脂製のものであり、前記管体の連結側の端部分に挿入せしめられる、一端が開口した有底の筒体を具え、該筒体の内部は前記収容凹部とされており、又、前記筒体の開口端には外方に張り出す環状鍔部が周設されると共に該環状鍔部に前記筒体を囲む囲壁部が周設され、該囲壁部と前記筒体との間に、前記管体の前記端部分の周壁部を密接に嵌入させ得る環状嵌入溝が形成されており、又前記環状鍔部には、前記筒体の軸線と同心に係合筒部が突設されると共に、該係合筒部の端部に内方に張り出す内環状鍔部が周設され、該内環状鍔部の対向側に導入溝が設けられ、該内環状鍔部と前記環状鍔部との間が係合空所とされており、又、前記他方の止水キャップ部材は、合成樹脂製のものであり、前記管体の連結側の端部分に挿入せしめられる、一端が開口した有底の筒体を具え、該筒体の内部は前記収容凹部となされており、又、前記筒体の開口端には外方に張り出す環状鍔部が周設されると共に該環状鍔部に前記筒体を囲む囲壁部が周設され、該囲壁部と前記筒体との間に、前記管体の前記端部分の周壁部を密接に嵌入させ得る環状嵌入溝が形成されており、又前記環状鍔部には、前記筒体の軸線と同心に係合筒部が突設されると共に該係合筒部の端部分の外面の対向部位に、前記導入溝を通過でき且つ前記係合空所に納められる係合突部が突設されており、該係合突部が前記係合空所に納められた状態で、前記係合突部が突設された係合筒部と他方の係合筒部とが前記止水キャップ部材の軸線回りに相対的に逆方向に回動されることにより、前記係合突部が前記内環状鍔部と係合することを特徴とする請求項３記載の管体の止水連結装置。
【請求項７】
前記一方の止水キャップ部材及び前記他方の止水キャップ部材は、共に、合成樹脂製のものであり、前記管体の連結側の端部分に挿入せしめられる、一端が開口した有底の筒体を具え、該筒体の内部は前記収容凹部とされており、又、前記筒体の開口端には外方に張り出す環状鍔部が周設されると共に、該環状鍔部に、前記筒体を囲む囲壁部が周設され、該囲壁部と前記筒体との間に、前記管体の前記端部分の周壁部を密接に嵌入させ得る環状嵌入溝が形成されており、又前記環状鍔部には、前記筒体の軸線と同心に、外面に雄ネジが設けられた雄ネジ筒部が突設されており、又前記連結筒体の内周面には、前記両雄ネジ筒部の雄ネジに螺合し得る雌ネジが設けられていることを特徴とする請求項４記載の管体の止水連結装置。
【請求項８】
前記筒体の外周面には、外面が前記端部分の内周面に密接し得る上下方向に延長する外突条の複数が、前記筒体の外周面に所要間隔を置いて突設されていることを特徴とする請求項５、６又は７記載の管体の止水連結装置。
【請求項９】
前記外突条の筒体底部側の部分は、徐々に高さが減ずる傾斜面に形成されていることを特徴とする請求項８記載の管体の止水連結装置。
【請求項１０】
前記筒体の内周面には、前記連結杆の外面と密接し得る上下方向に延長する内突条の複数が、周方向に所要間隔を置いて設けられていることを特徴とする５、６、７、８又は９記載の管体の止水連結装置。
【発明の詳細な説明】
【技術分野】
【０００１】
本発明は、園芸用の支柱等としての管体相互を止水を確保して簡易且つ強固に、然も分離可能に連結し得る管体の止水連結装置に関するものである。
【背景技術】
【０００２】
トマトやナス等を栽培する際、これらに雨水が付着すると、病害虫が発生してトマト等がひび割れしたり腐ったりし易い。そこで、このような被害を防止するために例えば図３６に示すような簡易な雨除けａが用いられている。
【０００３】
該雨除けａは、上側部分ｂが逆Ｕ字状に屈曲し且つ両側の支柱部ｃ，ｃの下端部分ｄ，ｄが土に埋設されるパイプ状のＵ型支柱ｅの複数本を一方向に所要間隔を置いて並設すると共に、並設されたＵ型支柱ｅの上端部ｆ及びその両側部ｇ，ｇをパイプ状の横繋ぎ杆ｈで連結して図３７に示す支持枠体ｊを形成し、該支持枠体ｊの上側部分ｋに雨除けシートｍを被せた構成を有していた。そして前記Ｕ型支柱ｅは、図３７に示すように、アーチ状パイプｎと、その両下端ｐ，ｐに連結される直線状上パイプｑ，ｑと、該直線状上パイプｑ，ｑの下端ｒに連結される直線状下パイプｓ，ｓとから構成されていた。又前記横繋ぎ杆ｈは、相互が連結される２本の直線状横パイプｔ，ｔとから構成されていた。
【０００４】
該Ｕ型支柱ｅや横繋ぎ杆ｈの組み立てには、例えば特開２００２−８１４０２０号公報が開示すると同様のジョイントパイプ挿入方式が採用されていた。即ち、Ｕ型支柱ｅに関しては、図３８〜３９に示すように、前記直線状上パイプｑの上端に、前記アーチ状パイプｎの下端部分ｕに挿入されるジョイントパイプｖが一体に突設されると共に、前記直線状下パイプｓの上端には前記直線状上パイプｑの下端部分ｗに挿入されるジョイントパイプｖが突設されていた。なお、該直線状下パイプｓの下端には下方に向けて細くなる円錐状キャップｘが嵌着されていた。又前記横繋ぎ杆ｈに関しては、図４０〜４１に示すように、一方の直線状横パイプｔ１の一端に他方の直線状横パイプｔ２の端部分ｙに挿入されるジョイントパイプｖが突設されていた。なお、両横繋ぎ杆ｈ，ｈの外端にはキャップｚが嵌着されていた。
【０００５】
従来の雨除けａが、このように、短いパイプ相互を着脱可能に連結する組立て方式を採用していたのは、トマト等の収穫が終わった後の雨除け収納の便宜のためや販売店における売場スペースの削減を図るためであった。
【０００６】
しかしながら、前記構成を有する雨除けａにおけるパイプ相互の連結は、前記したように、一方のパイプに突設したジョイントパイプｖを他方のパイプの端部分に挿入するというジョイントパイプ挿入方式を採用していたため、雨除けとして使用中に、雨除けの内部に風が吹き込んだ場合、アーチ状部分ｉが浮き上がることによって前記ジョイントパイプｖが前記端部分から抜けてしまう恐れがあった。又前記Ｕ型支柱ｅの下端部分ｄ，ｄを土に突き刺した後に、突き刺し状態を手直しするために該Ｕ型支柱を突き刺し直す際、前記ジョイントパイプｖが前記端部分から抜けてしまう問題があり手直し作業が難しかった。      
【０００７】
又パイプ相互の連結を、ジョイントパイプを端部分に挿入して行っていたため、パイプ相互の繋ぎ目部分からパイプ内に雨水が侵入することによってパイプの内部に錆が発生し、パイプ強度が劣化し易い問題もあった。
【特許文献１】特開２００２−８１４０２０号公報（２−４頁、図１、図２）
【発明の開示】
【発明が解決しようとする課題】
【０００８】
本発明は前記問題点に鑑みて開発されたものであり、管体相互を止水を確保して連結一体化できると共に、その連結を簡易且つ確実に行うことができ、然もその連結を分離可能として、収納の容易化や売場スペースの削減を達成せしめる管体の止水連結装置の提供を課題とするものである。更に進んで、短かい管体を単独で栽培支柱として使用したり複数本の短かい管体を連結して長い栽培支柱として使用することができる等、管体を汎用的に活用可能とする管体の止水連結装置の提供を課題とするものである。
【課題を解決するための手段】
【０００９】
前記課題を解決するため、本発明は以下の手段を採用する。
即ち本発明に係る管体の止水連結装置は、管体相互を連結杆を介して連結一体化する管体の止水連結装置であって、両管体の連結側の端部開口は、管体内への水の侵入を防止する止水キャップ部材で閉蓋されており、各止水キャップ部材は、管体の連結側の端部で開口し且つ管体の軸線方向に窪むことによって収容凹部が形成された有底の筒状を呈し、一方の止水キャップ部材の端部に設けられた連結片と他方の止水キャップ部材の端部に設けられた連結片とが分離可能に係合一体化されることにより、前記両収容凹部が連なって収容空所が形成され、該収容空所に、前記両収容凹部に跨がって存する如く前記連結杆が略密接状態で収容されることを特徴とするものである。
【００１０】
本発明に係る管体の止水連結装置のより具体的な第１の態様は、管体相互を連結杆を介して連結一体化する管体の止水連結装置であって、両管体の連結側の端部開口は、管体内への水の侵入を防止する止水キャップ部材で閉蓋されており、各止水キャップ部材は、管体の連結側の端部で開口し且つ管体の軸線方向に窪むことによって収容凹部が形成された有底の筒状を呈し、一方の止水キャップ部材の端部に設けられた雄ネジ連結片と他方の止水キャップ部材の端部に設けられた雌ネジ連結片とが螺合によって分離可能に係合一体化されることにより、前記両収容凹部が連なって収容空所が形成され、該収容空所に、前記両収容凹部に跨がって存する如く前記連結杆が略密接状態で収容されることを特徴とするものである。
【００１１】
本発明に係る管体の止水連結装置のより具体的な第２の態様は、管体相互を連結杆を介して連結一体化する管体の止水連結装置であって、両管体の連結側の端部開口は、管体内への水の侵入を防止する止水キャップ部材で閉蓋されており、各止水キャップ部材は、管体の連結側の端部で開口し且つ管体の軸線方向に窪むことによって収容凹部が形成された有底の筒状を呈し、一方の止水キャップ部材の端部に設けられた係合連結片と他方の止水キャップ部材の端部に設けられた係合連結片とが、前記止水キャップ部材の軸線回りに相対的に逆方向に回動されて分離可能に係合一体化されることにより、前記両収容凹部が連なって収容空所が形成され、該収容空所に、前記両収容凹部に跨がって存する如く前記連結杆が略密接状態で収容されることを特徴とするものである。
【００１２】
本発明に係る管体の止水連結装置のより具体的な第３の態様は、管体相互を連結杆を介して連結する管体連結装置であって、両管体の連結側の端部は、管体内への水の侵入を防止する止水キャップ部材で閉蓋されており、各止水キャップ部材は、管体の連結側の端部で開口し且つ管体の軸線方向に窪むことによって収容凹部が形成された有底の筒状を呈し、両止水キャップ部材の端部相互の突き合わせ部分を外側から覆うように且つ該連結筒体と前記突き合わせ部分との螺合によって該連結筒体と該突き合わせ部分とが分離可能に係合一体化されることにより、前記両収容凹部が連なって収容空所が形成され、該収容空所に、前記両収容凹部に跨がって存する如く前記連結杆が略密接状態で収容されることを特徴とするものである。
【００１３】
前記第１の態様において、前記一方の止水キャップ部材は、合成樹脂製のものとし、前記管体の連結側の端部分に挿入せしめられる、一端が開口した有底の筒体を具えたものとし、該筒体の内部は前記収容凹部とし、又、前記筒体の開口端には外方に張り出す環状鍔部が周設されると共に該環状鍔部に前記筒体を囲む囲壁部が周設され、該囲壁部と前記筒体との間に、前記管体の前記端部分の周壁部を密接に嵌入させ得る環状嵌入溝が形成されたものとし、又前記環状鍔部には、前記筒体の軸線と同心に、内面に雌ネジが設けられた雌ネジ筒部が突設されたものとし、一方、前記他方の止水キャップ部材は、合成樹脂製のものとし、前記管体の連結側の端部分に挿入せしめられる、一端が開口した有底の筒体を具え、該筒体の内部は前記収容凹部となし、又、前記筒体の開口端には外方に張り出す環状鍔部が周設されると共に該環状鍔部に前記筒体を囲む囲壁部が周設され、該囲壁部と前記筒体との間に、前記管体の前記端部分の周壁部を密接に嵌入させ得る環状嵌入溝が形成されたものとし、又前記環状鍔部には、前記筒体の軸心と同心に、前記雌ネジ筒部に螺合し得る雄ネジが外面に設けられた雄ネジ筒部が突設されたものとして構成するのがよい。      
【００１４】
又前記第２の態様において、前記一方の止水キャップ部材は、合成樹脂製のものとし、前記管体の連結側の端部分に挿入せしめられる、一端が開口した有底の筒体を具えたものとし、該筒体の内部は前記収容凹部とし、又、前記筒体の開口端には外方に張り出す環状鍔部が周設されると共に該環状鍔部に前記筒体を囲む囲壁部が周設され、該囲壁部と前記筒体との間に、前記管体の前記端部分の周壁部を密接に嵌入させ得る環状嵌入溝が形成されたものとし、又前記環状鍔部には、前記筒体の軸線と同心に係合筒部が突設されると共に、該係合筒部の端部に内方に張り出す内環状鍔部が周設され、該内環状鍔部の対向側に導入溝が設けられ、該内環状鍔部と前記環状鍔部との間を係合空所となし、一方、前記他方の止水キャップ部材は、合成樹脂製のものとし、前記管体の連結側の端部分に挿入せしめられる、一端が開口した有底の筒体を具えたものとし、該筒体の内部は前記収容凹部となし、又、前記筒体の開口端には外方に張り出す環状鍔部が周設されると共に該環状鍔部に前記筒体を囲む囲壁部が周設され、該囲壁部と前記筒体との間に、前記管体の前記端部分の周壁部を密接に嵌入させ得る環状嵌入溝が形成されたものとし、又前記環状鍔部には、前記筒体の軸線と同心に係合筒部が突設されると共に該係合筒部の端部分の外面の対向部位に、前記導入溝を通過でき且つ前記係合空所に納められる係合突部が突設されたものとし、該係合突部が前記係合空所に納められた状態で、前記係合突部が突設された係合筒部と他方の係合筒部とが前記止水キャップ部材の軸線回りに相対的に逆方向に回動されることにより、前記係合突部が前記内環状鍔部と係合するように構成するのがよい。
【００１５】
又前記第３の態様において、前記一方の止水キャップ部材及び前記他方の止水キャップ部材は、共に、合成樹脂製のものとし、前記管体の連結側の端部分に挿入せしめられる、一端が開口した有底の筒体を具えたものとし、該筒体の内部は前記収容凹部とし、又、前記筒体の開口端には外方に張り出す環状鍔部が周設されると共に、該環状鍔部に、前記筒体を囲む囲壁部が周設され、該囲壁部と前記筒体との間に、前記管体の前記端部分の周壁部を密接に嵌入させ得る環状嵌入溝が形成されたものとし、又前記環状鍔部には、前記筒体の軸線と同心に、外面に雄ネジが設けられた雄ネジ筒部が突設されたものとし、又前記連結筒体の内周面には、前記両雄ネジ筒部の雄ネジに螺合し得る雌ネジが設けられたものとして構成するのがよい。
【００１６】
前記第１〜３の態様において、前記筒体の外周面に、外面が前記端部分の内周面に密接し得る上下方向に延長する外突条の複数を、前記筒体の外周面に所要間隔を置いて突設するのがよい。この場合、前記外突条の筒体底部側の部分は、徐々に高さが減ずる傾斜面に形成するのがよい。
【００１７】
又前記各態様において、前記筒体の内周面に、前記連結杆の外面と密接し得る上下方向に延長する内突条の複数を周方向に所要間隔を置いて設けるのがよい。
【発明の効果】
【００１８】
本発明は以下の如き優れた効果を奏する。
本発明に係る管体の止水連結装置は、連結されるべき両管体の端部開口が止水キャップ部材で閉蓋されると共に該止水キャップ部材の端部に連結片が設けられ、又、両止水キャップ部材に形成された収容凹部が連なることによって、連結杆を略密接状態で収容させ得る収容空所を形成可能となされている。
【００１９】
(1) かかることから、管体の端部開口の止水を確保して管体相互を分離可能に連結一体化でき、これにより、管体内部での錆の発生を抑制して管体の耐用年数を延長させ得る。      
【００２０】
(2) 又、該連結状態は、止水キャップ部材が有底であることから、その内部に形成された収容凹部が連結杆を安定状態で収容させる機能を発揮するため、前記収容凹部が連なって形成された収容空所に略密接状態に内在された連結杆が連結の芯材として機能できる。かかることから、両連結片を単に係合一体化させる連結とは異なり、管体相互の強固な連結が得られることになる。
【００２１】
(3) 又、両連結片が分離可能に係合一体化されることから、一つの管体を他の管体と組み合わせることが自在である。それ故、雨除けの組み立てに用いるＵ型支柱や直線状支柱等の各種の園芸用等の資材を形成するために各管体を汎用的に活用できるので経済的である。特に直線状支柱として用いる場合は、比較的短い管体を単独で栽培支柱として使用できると共に、管体の複数本を連結一体化して長い栽培支柱として使用できる。
【００２２】
(4) 更に、管体相互の連結は分離可能であるため、販売店における売場スペースの削減に寄与し得ると共に、園芸用支柱等としての使用時期が終わった後は、個々の管体に分離することによって省スペースを図ってこれをコンパクトに収納できる利点がある。
【実施例１】
【００２３】
本発明に係る管体の止水連結装置（以下装置という）１の実施例を、図１に示すような園芸用の雨除け２を構成するパイプ状のＵ型支柱３や横繋ぎ杆５に応用された場合を例にとって説明すれば、該装置１は、図２に示すように、管体６，６相互を連結杆７を介して連結一体化するものであり、両管体６，６の連結側の端部開口９，９は、管体６内への水の侵入を防止する止水キャップ部材１０，１０で閉蓋されている。又各止水キャップ部材１０，１０は、管体６の連結側の端部で開口し且つ管体の軸線方向に窪むことによって収容凹部４０が形成された有底の筒状を呈しており、一方の止水キャップ部材１０の端部に設けられた連結片１２と他方の止水キャップ部材１０の端部に設けられた連結片１２とが分離可能に係合一体化されることにより、前記両収容凹部４０，４０が連なって収容空所１３が形成され、該収容空所１３内に前記連結杆７が略密接状態で収容される如く構成されている。
【００２４】
前記雨除け２は、上側部分が逆Ｕ字状に屈曲した同径円形パイプ状の前記Ｕ型支柱３の複数本、例えば３本を、一方向に所要間隔を置いて並設すると共に、並設されたＵ型支柱３の上端部１５及びその両側部１６，１６を同径円形パイプ状の前記横繋ぎ杆５で連結することによって図３に示す支持枠体１７を形成し、該支持枠体１７の上側部分１８に雨除けシート１９を被せ、該雨除けシート１９をパッカー２０で支持枠体１７に止着することにより構成されている。
【００２５】
前記Ｕ型支柱３は、図３に示すように、アーチ状円形パイプとしてのアーチ状管体２１（前記管体６）と、その両下端２２，２２に連結される直線状円形パイプとしての直線状上管体２３，２３と、該直線状上管体２３，２３（前記管体６）の下端２５に連結される直線状円形パイプとしての直線状下管体２６，２６（前記管体６）とから構成されている。又前記横繋ぎ杆５は、図３に示すように、相互が連結される、直線状円形パイプとしての２本の直線状横管体２７ａ，２７ｂ（前記管体６）で構成されている。
【００２６】
そして、前記アーチ状管体２１、直線状上管体２３，２３、直線状下管体２６，２６、直線状横管体２７ａ，２７ｂは、例えば、鋼製パイプの表面に樹脂被覆が施されてなり、これらの連結側の端部開口９の夫々は、例えば図２に示すように、全体が合成樹脂製の前記止水キャップ部材１０，１０で閉蓋されている。前記止水キャップ部材１０の構成を、アーチ状管体２１の下端部分２９と直線状上管体２３の上端部分３０に装着されるものについて具体的に説明する。
【００２７】
該アーチ状管体２１に装着される止水キャップ部材１０（以下、上の止水キャップ部材１０ａともいう）は、図４〜７に示すように、該アーチ状管体２１の下端部分２９内にその端部開口９から上に向けて挿入される有底の円筒状を呈しており、下端２８が開放して上方に延長し上端が頂面部３１で閉じられた有底の円筒状の筒体３２を具える。該筒体３２は、前記下端部分２９の内径よりも稍小径であり、その外周面３３には、上下全長に亘る如く、周方向に複数条に例えば６０度の角度ピッチで、弾性変形可能な外突条３５が突設され、該外突条３５の外面３４の上端側の部分は、突条高さが上端においてゼロとなるように徐々に高さが減ずる傾斜面３６に形成されている。該傾斜面３６は、該外突条３５が突設されてなる挿入筒部３７を前記下端部分２９に挿入し易くする案内面となる。又、前記筒体３２の内部空間は、鋼製の円形パイプ状を呈する前記連結杆７の上側部分３９を図８に示すように収容させる前記収容凹部１１とされており、該筒体３２の内周面４１には、上下方向に延長する、弾性変形可能な内突条４２が、周方向に複数条に例えば９０度の角度ピッチで突設されている。
【００２８】
又前記筒体３２の下端（開口端）には外方に張り出す環状鍔部４３が周設されると共に、該環状鍔部４３には、その先端で上方向に屈曲して前記筒体３２を囲む囲壁部４５が周設されており、図４、図６に示すように、前記外突条３５の外面３４と該囲壁部４５との間に、前記下端部分２９の周壁部４６が嵌入する環状嵌入溝４７が形成されている。又前記環状鍔部４３の外縁側には、前記筒体３２の軸線と同心に、連結片としての雌ネジ筒部（雌ネジ連結片）４９が下方に突設されている。そして該環状鍔部４３よりも上側の部分は、前記下端部分２９内に挿入される前記挿入筒部３７とされている。又、該雌ネジ筒部（雌ネジ連結片）の下端で開放した前記収容凹部４０に、図２に示すように、前記連結杆７の上側部分３９が略密接状態に挿入せしめられる。この挿入は、前記連結杆７の外面が前記内突条４２の内面側を弾性変形させながら部分的に潰して圧入状態で行われる。そして該雌ネジ筒部４９の内面には雌ネジ５０が設けられている。該雌ネジ５０は、複数条の雌ネジ、例えば３条の雌ネジとされている。
【００２９】
かかる構成を有する挿入筒部３７を、図７に示すように前記下端部分２９内に挿入し、前記外突条３５の外面３４が、前記傾斜面３６を除いて該下端部分２９の内周面５１に密接した状態とする。そして、前記下端部分２９の周壁部４６を前記環状嵌入溝４７に嵌入させることにより、前記アーチ状管体２１としての管体６の連結側の端部開口９が止水キャップ部材１０で閉蓋され、該管体６内に水が侵入するのが防止される。この閉蓋状態で、前記囲壁部４５が、前記周壁部４６に超音波溶着や接着剤を用いて接着される。或いは、前記環状嵌入溝４７に前記周壁部４６が圧入されることによって周壁部４６と囲壁部４５が固着される。
【００３０】
このような構成を有する止水キャップ部材１０の各部の寸法を例示すれば、前記筒体３２の深さは５０ｍｍに設定されると共にその外径は、前記下端部分２９の内径１７．５ｍｍよりも稍小さい１３．７ｍｍに設定されている。又、前記筒体３２の内径は１０．２ｍｍに設定されると共に、前記内突条４２の突出量は０．２ｍｍに設定されている。
【００３１】
又、前記直線状上管体２３の上端部分３０に装着される前記止水キャップ部材１０（以下、下の止水キャップ部材１０ｂともいう）は、図９〜１１に示すように、該上端部分３０内にその端部開口９から下に向けて挿入される有底の円筒状を呈しており、上端５２が開放して下方に延長し下端が底面部５３で閉じられた有底の円筒状の筒体３２を具える。該筒体３２は、前記上端部分３０の内径よりも稍小径であり、その外周面３３には、上下全長に亘る如く、周方向に複数条に例えば６０度の角度ピッチで、弾性変形可能な外突条３５が突設され、該外突条３５の外面３４の下端側の部分は、突条高さが下端においてゼロとなるように徐々に高さが減ずる傾斜面３６に形成されている。該傾斜面３６は、該外突条３５が突設されてなる挿入筒部３７を前記上端部分３０に挿入し易くする案内面となる。又、前記筒体３２の内部空間は、鋼製の円形パイプ状を呈する前記連結杆７の下側部分５５を収容させる前記収容凹部４０とされており、該筒体３２の内周面４１には、上下方向に延長する、弾性変形可能な内突条４２が、周方向に複数条に例えば９０度の角度ピッチで突設されている。なお本実施例においては、該内突条４２が、後述する雄ネジ筒部５７の内面の上端にまで延長されている。
【００３２】
又前記筒体３２の上端（開口端）には外方に張り出す環状鍔部４３が周設されると共に、該環状鍔部４３には、その先端で下方向に屈曲して前記筒体３２を囲む囲壁部４５が周設されており、図９、図１１に示すように、前記外突条３５の外面３４と該囲壁部４５との間に、前記上端部分３０の周壁部５６が嵌入する環状嵌入溝４７が形成されている。又前記環状鍔部４３の内縁側には、前記筒体３２の軸線と同心に、連結片としての雄ネジ筒部（雄ネジ連結片）５７が上方に突設されている。そして該環状鍔部４３よりも下側の部分は、前記上端部分３０内に挿入される前記挿入筒部３７とされている。又、該雄ネジ筒部（雄ネジ連結片）５７の上端で開放した前記収容凹部４０に、前記連結杆７の下側部分５５が略密接状態に挿入せしめられる。この挿入は、前記内突条４２の内面側を弾性変形させながら部分的に潰して圧入状態で行われる。そして該雄ネジ筒部５７の外面には前記３条の雌ネジ５０に螺合し得る３条の雄ネジ６０が設けられている。該雄ネジ６０は、複数条の雄ネジ、例えば３条の雄ネジとされている。
【００３３】
かかる構成を有する挿入筒部３７を、図１２に示すように前記上端部分３０内に挿入し、前記外突条３５の外面３４が、前記傾斜面３６を除いて該上端部分３０の内周面６１に密接した状態とする。そして、前記上端部分３０の周壁部５６を前記環状嵌入溝４７に嵌入させることにより、前記直線状上管体２３としての管体６の連結側の端部開口９が止水キャップ部材１０で閉蓋され、該管体６内に水が侵入するのが防止される。この閉蓋状態で、前記囲壁部４５が前記周壁部５６に超音波溶着や接着剤を用いて接着される。或いは、前記環状嵌入溝４７に前記周壁部５６が圧入されることによって周壁部５６と囲壁部４５が固着される。
【００３４】
このような構成を有する止水キャップ部材１０の各部の寸法を例示すれば、前記筒体３２の深さは４０ｍｍに設定されると共にその外径は、前記上端部分３０の内径１７．５ｍｍよりも稍小さい１３．７ｍｍに設定されている。又、前記筒体３２の内径は１０．２ｍｍに設定されると共に、前記内突条４２の突出量は０．２ｍｍに設定されている。
【００３５】
このようにして上下の止水キャップ部材１０ａ，１０ｂで前記端部開口９，９を閉蓋した後、図２に示すように、前記雄ネジ筒部５７を前記雌ネジ筒部４９に螺合し締め付けるのであるが、その螺合に先立って、下の止水キャップ部材１０ｂの前記収容凹部４０内に前記連結杆７の下側部分５９を挿入する。この挿入は、図８に示すように、前記内突条４２の内面側を弾性変形させながら部分的に潰して圧入状態で行われるため、該下側部分５９が収容凹部４０にガタツキなく挿入されることとなる。
【００３６】
その後、前記連結杆７の上側部分３９を、前記上の止水キャップ部材１０ａの前記収容凹部４０に挿入させる。この挿入は、前記内突条４２の内面側を弾性変形させながら部分的に潰して圧入状態で行われる。そして前記雄ネジ筒部５７を前記雌ネジ筒部４９に螺合し締め付けることにより、雄ネジ連結片５７と雌ネジ連結片４９とが分離可能に係合一体化され、前記上端部分３０と前記下端部分２９とは前記連結杆７が内在された状態で連結一体化される。このような管体相互の連結一体化は、内在された連結杆７が芯材として機能する連結であるため、雄ネジ筒部と雌ネジ筒部との単なる螺合による連結とは異なり、強固な連結が得られることになる。
【００３７】
図１３は、前記直線状上管体２３と前記直線状下管体２６とを連結した状態を示すものであり、該直線状上管体２３の下端部分６２に、前記アーチ状管体２１の下端部分２９に対してと同様にして、前記上の止水キャップ部材１０ａと同様構成の止水キャップ部材１０が装着されている。又前記直線状下管体２６の上端部分６３にも、前記直線状上管体２３の上端部分３０に対してと同様にして、前記下の止水キャップ部材１０ａと同様構成の止水キャップ部材１０が装着されている。このように上下の止水キャップ部材１０，１０で該上端部分６３の端部開口９と該下端部分６２の端部開口９を閉蓋した後、前記と同様の要領により連通せしめられた両収容凹部４０，４０に前記と同様構成の連結杆７を収容した状態で、前記雄ネジ筒部５７を前記雌ネジ筒部４９に螺合し締め付ける。これにより、雄ネジ連結片５７と雌ネジ連結片４９とが分離可能に係合一体化され、前記上端部分６３と前記下端部分６２とは、連結杆７が内在された状態で強固に連結される。
【００３８】
以上のようにして、アーチ状管体２１の両下端２２，２２に直線状上管体２３，２３を連結すると共に、該直線状上管体２３，２３に直線状下管体２６，２６を連結することにより、図３に示すＵ型支柱３を構成できる。なお本実施例においては、前記直線状下管体２６の下端に、図３、図１４（Ａ）（Ｂ）に示すように、下方に向けて細くなる円錐状の下端キャップ６４をねじ込みにより取り付けている。該下端キャップ６４を取り付けるには、例えば図１４に示すように、前記下の止水キャップ１０ａと同様構成の止水キャップ部材１０を、前記直線状上管体２３の上端部分３０に対してと同様にして、前記直線状下管体２６の下端部分２４に装着する。その後、前記下端キャップ６４の上部に設けたネジ筒部２８を前記止水キャップ部材１０に設けられている雄ネジ筒部４９に螺合し締め付けることによって行う。
【００３９】
図１５は、前記直線状横管体２７ａ，２７ｂとしての管体６，６相互を連結してなる横繋ぎ杆５を示すものであり、一方の直線状横管体２７ａの連結側の端部分６５に、前記上の止水キャップ部材１０ａと同様構成の止水キャップ部材１０が前記と同様にして装着され、該止水キャップ部材１０で端部開口９が閉蓋されている。又、他方の直線状横管体２７ｂの連結側の端部分６６には、前記下の止水キャップ部材１０ｂと同様構成の止水キャップ部材１０が前記と同様にして装着され、該止水キャップ部材１０で端部開口９が閉蓋されている。かかる閉蓋により、直線状横管体２７ａ，２７ｂ内に水が侵入するのが防止されている。このようにして両端部開口９，９を止水キャップ部材１０，１０で閉蓋した後、前記と同様の要領により連通せしめられた両収容凹部４０，４０に前記と同様構成の連結杆７を収容した状態で、前記雄ネジ筒部５７を前記雌ネジ筒部４９に螺合し締め付ける。これにより、雄ネジ連結片５７と雌ネジ連結片４９とが分離可能に係合一体化され、直線状横管体２７ａ，２７ｂの端部分６５，６６相互が連結杆７が内在された状態で強固に連結されて前記横繋ぎ杆５が構成される。なお本実施例においては、前記直線状横管体２７ａ，２７ｂの外端に、図３、図１６（Ａ）（Ｂ）に示すように、端部キャップ３４を螺合により取り付けている。該端部キャップ３４を取り付けるには、先ず図１６（Ａ）に示すように、前記下の止水キャップ１０ｂと同様構成の止水キャップ部材１０を、前記直線状横管体２７ａ，２７ｂの外端部分３８に装着する。その後、前記端部キャップ３４に設けたネジ筒部４４を前記止水部材１０に設けられている雄ネジ筒部５７に螺合し締め付けることによって行う。
【００４０】
そして、このように構成されたＵ型支柱３と横繋ぎ杆５を用いて図３に示すような支持枠体１７を構成でき、該支持枠体１７の上側部分に前記雨除けシート１９を被せることにより、図１に示す前記雨除け２を構成できる。又、このように構成した支持枠体１７にネットを被せることにより、胡瓜棚等を構成することもできる。
【００４１】
又、該雨除け２や胡瓜棚等を構成するＵ型支柱３及び横繋ぎ杆５は、アーチ状管体２１と直線状上管体２３，２３と直線状下管体２６，２６に分離できると共に、前記横繋ぎ杆５は２本の直線状横管体２７ａ，２７ｂに分離できることから、かかる直線状上管体２３や直線状下管体２６、直線状横管体２７ａ，２７ｂは、単独使用によって短い栽培支柱を形成できる。又、これらの複数本を前記と同様にして連結することにより、えんどう等の草丈の大きい植物を栽培するための長い栽培支柱を構成できる。図１７（Ａ）は、８０ｃｍ長さの管体６、例えば前記直線状上管体２３そのものを栽培支柱６７として使用した場合を示し、図１７（Ｂ）は、８０ｃｍ長さの２本の管体６，６相互、例えば前記直線状上管体２３と直線状下管体２６相互を連結して約１６０ｃｍの栽培支柱として使用した場合を示す。又図１７（Ｃ）は、８０ｃｍ長さの３本の管体６，６，６、例えば前記直線状上管体２３と直線状下管体２６と直線状横管体２７ａを連結して約２４０ｃｍの栽培支柱６７として使用した場合を示している。なお図１７（Ａ）（Ｂ）（Ｃ）においては、栽培支柱６７の上端に上端キャップ６９をねじ込みにより取り付けると共に栽培支柱６７の下端に、下端に向けて細くなる円錐状の下端キャップ７０を、図１４に示すと同様にしてねじ込みにより取り付けている。
【００４２】
前記上端キャップ６９としては、図１８（Ｂ）に示すような、紐状物やロープを嵌め入れてネットや張り線等を固定し支持するための十字状溝７１を具えたものを用いるのがよい。該上端キャップ６９のねじ込みは、図１８に示すように、前記止水キャップ部材１０に設けられている前記雄ネジ筒部５７を用いて行うのがよい。そのために、前記上端キャップ６９には、前記雄ネジ筒部５７が螺合し得るネジ筒部７２を設けておく。
【実施例２】
【００４３】
図１９は本発明に係る装置１の他の実施例を示すものである。前記実施例における装置との相違点は、前記実施例においては雄ネジ連結片５７を雌ネジ連結片４９にねじ込むことによって両連結片相互を分離可能に係合一体化させているのであるが、本実施例においては、一方の止水キャップ部材１０の端部に設けられた、連結片としての係合連結片７５（以下、第１係合片７５ａともいう）と他方の止水キャップ部材１０の端部に設けられた、連結片としての係合連結片７５（以下、第２係合連結片７５ｂともいう）とが、止水キャップ部材の軸線回りに相対的に逆方向に回動されて分離可能に係合一体化される点にある。その他の構成は前記と同様である。
【００４４】
両止水キャップ部材１０，１０の構成を、前記と同様のＵ型支柱３を構成するアーチ状管体２１（前記管体６）の下端部分２９と直線状上管体２３（前記管体６）の上端部分３０に装着されるものについてより具体的に説明すれば次のようである。
【００４５】
該アーチ状管体２１に装着される止水キャップ部材１０（以下、上の止水キャップ部材１０ｃともいう）は、図２０〜２３に示すように、該アーチ状管体２１の下端部分２９内にその端部開口９から上に向けて挿入される有底の円筒状を呈しており、下端２８が開放して上方に延長し上端が頂面部３１で閉じられた有底の円筒状の筒体３２を具える。該筒体３２は、前記下端部分２９の内径よりも稍小径であり、その外周面３３には、上下全長に亘る如く、周方向に複数条に例えば６０度の角度ピッチで、弾性変形可能な外突条３５が突設され、該外突条３５の外面３４の上端側の部分は、突条高さが上端においてゼロとなるように徐々に高さが減ずる傾斜面３６に形成されている。該傾斜面３６は、該外突条３５が突設されてなる挿入筒部３７を前記下端部分２９に挿入し易くする案内面となる。又、前記筒体３２の内部空間は、鋼製の円形パイプ状を呈する前記連結杆７の上側部分３９を収容させる前記収容凹部４０とされており、該筒体３２の内周面４１には、上下方向に延長する、弾性変形可能な内突条４２が、周方向に複数条に例えば９０度の角度ピッチで突設されている。
【００４６】
又前記筒体３２の下端には外方に張り出す環状鍔部４３が周設されると共に、該環状鍔部４３には、その先端で上方向に屈曲して前記筒体３２を囲む囲壁部４５が周設されており、図２０、図２２に示すように、前記外突条３５の外面３４と該囲壁部４５との間に、前記下端部分２９の周壁部４６が嵌入する環状嵌入溝４７が形成されている。又前記環状鍔部４３の外縁側には、前記筒体３２の軸線と同心に、前記第１の係合片７５ａを構成する係合筒部７６が下方に突設されると共に、該係合筒部７６の下端には内方に張り出す内環状鍔部７７が周設され、該内環状鍔部７７の対向側には導入溝７９，７９が設けられている。又図２３〜２４に示すように、該係合筒部７６の内周面８０には、前記導入溝７９，７９間においてストッパ片８１，８１が突設されている。そして、前記内環状鍔部７７と前記環状鍔部４３の内縁側の部分８２との間に係合空所８３が形成され、該内縁側の部分８２の下面（係合空所の頂面）８４に、前記両ストッパ片８１，８１に近接した部位で、球面状凹面としての係止凹部８５，８５が設けられている。前記第１の係合片７５ａは、前記した係合筒部７６と内環状鍔部７７と、導入溝７９とストッパ片８１と係合空所８３とから構成され、より好ましい態様としては、前記係止凹部８５も含めて構成される。
【００４７】
そして前記環状鍔部４３よりも上側の部分は、前記下端部分２９内に挿入される前記挿入筒部３７とされている。又、前記係合筒部７６の下端で開放した前記と同様構成の収容凹部４０に前記と同様構成の連結杆７の上側部分３９が略密接状態に挿入せしめられる。この挿入は、前記内突条４２の内面側を弾性変形させながら部分的に潰して圧入状態で行われる。
【００４８】
かかる構成を有する挿入筒部３７を、図２４に示すように前記下端部分２９内に挿入し、前記外突条３５の外面３４が、前記傾斜面３６を除いて該下端部分２９の内周面５１に密接した状態とする。そして、前記下端部分２９の周壁部４６を前記環状嵌入溝４７に嵌入させることにより、前記アーチ状管体２１としての管体６の連結側の端部開口９が止水キャップ部材１０で閉蓋され、該管体６内に水が侵入するのが防止される。この閉蓋状態で、前記囲壁部４５が前記周壁部４６に超音波溶着や接着剤を用いて接着される。或いは、前記環状嵌入溝４７に前記周壁部４６が圧入されることによって周壁部４６と囲壁部４５が固着される。
【００４９】
このような構成を有する止水キャップ部材１０の、前記筒体３２の深さ、その外径、その内径、内突条４２の突出量は、前記と同様である。
【００５０】
又前記直線状上管体２３の上端部分３０に装着される前記止水キャップ部材１０（以下、下の止水キャップ部材１０ｄともいう）は、図２５〜２８示すように、該上端部分３０内にその端部開口９から下に向けて挿入される有底の円筒状を呈しており、上端５２が開放して下方に延長し下端が底面部５３で閉じられた有底の円筒状の筒体３２を具える。該筒体３２は、前記上端部分３０の内径よりも稍小径であり、その外周面３３には、上下全長に亘る如く、周方向に複数条に例えば６０度の角度ピッチで、弾性変形可能な外突条３５が突設され、該外突条３５の外面３４の下端側部分は、突条高さが下端においてゼロとなるように徐々に高さが減ずる傾斜面３６に形成されている。該傾斜面３６は、該外突条３５が突設されてなる挿入筒部３７を前記上端部分３０に挿入し易くする案内面となる。又、前記筒体３２の内部空間は、鋼製の円形パイプ状を呈する前記連結杆７の下側部分５５を収容させる前記収容凹部４０とされており、該筒体３２の内周面４１には、上下方向に延長する、弾性変形可能な内突条４２が、周方向に複数条に例えば９０度の角度ピッチで突設されている。なお本実施例においては、該内突条４２が、後述する係合筒部８６の内面の上端にまで延長されている。
【００５１】
又前記筒体３２の上端には外方に張り出す環状鍔部４３が周設されると共に、該環状鍔部４３には、その先端で下方向に屈曲して前記筒体３２を囲む囲壁部４５が周設されており、図２５、図２７に示すように、前記外突条３５の外面３４と該囲壁部４５との間に、前記上端部分３０の周壁部５６が嵌入する環状嵌入溝４７が形成されている。又前記環状鍔部４３の内縁側には、前記筒体３２の軸線と同心に、前記第２の係合片７５ｂを構成する係合筒部８６が上方に突設されると共に、係合筒部８６の上端部分の外面の対向部位に係合突部８７，８７が突設され、各係合突部８７，８７の上面中央に前記係止凹部８６と嵌合し得る係止突起８９が設けられている。そして該環状鍔部４３よりも下側の部分は、前記上端部分３０内に挿入される前記挿入筒部３７とされている。又、前記係合筒部８６の上端で開放した前記と同様構成の収容凹部４０に前記連結杆７の下側部分５５が略密接状態に挿入せしめられる。この挿入は、前記内突条４２の内面側を弾性変形させながら部分的に潰して圧入状態で行われる。
【００５２】
かかる構成を有する挿入筒部３７を、図２８に示すように前記上端部分３０内に挿入し、前記外突条３５の外面３４が、前記傾斜面３６を除いて該上端部分３０の内周面６１に密接した状態とする。そして、前記上端部分３０の周壁部５６を前記環状嵌入溝４７に嵌入させることにより、前記直線状上管体２３としての管体６の連結側の端部開口９が止水キャップ部材１０で閉蓋され、該管体６内に水が侵入するのが防止される。この閉蓋状態で、前記囲壁部４５が前記周壁部５６に超音波溶着や接着剤を用いて接着される。或いは、前記環状嵌入溝４７に前記周壁部５６が圧入されることによって周壁部５６と囲壁部４５が固着される。
【００５３】
このような構成を有する止水キャップ部材１０の、前記筒体３２の深さ、その外径、その内径、内突条４２の突出量は、前記と同様である。
【００５４】
このようにして上下の止水キャップ部材１０ｃ，１０ｄで前記端部開口９，９を閉蓋した後、図１９に示すように、第１、第２の両係合連結片７５ａ，７５ｂ相互を分離可能に係合一体化させるのであるが、該係合一体化に先立って、下の止水キャップ部材１０ｄの前記収容凹部４０内に前記連結杆７の下側部分５９を挿入する。この挿入は、前記内突条４２の内面側を弾性変形させながら部分的に潰して圧入状態で行われるため、該下側部分５９が収容凹部４０にガタツキなく圧入される。
その後、前記連結杆７の上側部分３９を、前記上の止水キャップ部材１０ｃの前記収容凹部４０に挿入させる。この挿入は、前記内突条４２の内面側を弾性変形させながら部分的に潰して圧入状態で行われる。
【００５５】
前記係合一体化は、前記係合突部８７，８７を前記導入溝７９，７９と位置合わせして前記上端部分３０を持ち上げ（前記下端部分２９に対しての相対的な持ち上げ）、該係合突部８７，８７を前記係合空所８３に入れ、その後、該上端部分３０を周方向に回動させ（前記下端部分２９に対しての相対的な回動）させ、図２９に示すように、該係合突部８７を前記ストッパ片８１に当接させる。このように当接した状態で、図１９（Ｂ）に示すように、該係合突部８７に設けられている係止突起８９と前記係合空所８３の頂面８４に設けられている係止凹部８５とが弾性的に嵌合し、確実な回り止めが図られる。なお、該係止突起８７と該係止凹部８５は、前記と逆の態様で設けられてもよい。
【００５６】
このようにして第１、第２の両係合連結片７５ａ，７５ｂ相互を係合一体化させることにより、前記上端部分３０と前記下端部分２９とは前記連結杆７が内在された状態で強固に連結一体化される。
【００５７】
以上のようにして、アーチ状管体２１の両下端２２，２２に直線状上管体２３，２３を連結すると共に、該直線状上管体２３，２３の下端２５，２５に直線状下管体２６，２６を連結することにより、図３に示すと同様構成のＵ型支柱３を構成できる。
【００５８】
前記直線状横管体２７ａ，２７ｂ相互の連結も、前記と同様にして行うことができ、前記と同様構成の横繋ぎ杆５を構成できる。
【００５９】
そして、このようにして構成されたＵ型支柱と横繋ぎ杆を用いて支持枠体を構成でき、該支持枠体に雨除けシートやネットを被せることにより、雨除けや胡瓜棚等を構成できる。
【００６０】
又、前記直線状上管体や直線状下管体、直線状横管体を単独使用したり、これらの複数本を前記と同様にして連結することにより、図１５に示すと同様にして所要長さの栽培支柱を構成できる。
【実施例３】
【００６１】
図３０〜３３は本発明に係る装置１のその他の実施例を示すものであり、両止水キャップ部材１０，１０の端部相互の突き合わせ部分９０を外側から被うように円筒状の連結筒体９１が螺合状態に装着されることにより、管体６，６相互を連結杆７を介して連結一体化できる構成のものである。
【００６２】
そのために両止水キャップ部材１０，１０は同一の構成を有しており、前記と同様構成の挿入筒部３７の前記環状鍔部４３に、外面に雄ネジ（例えば複数条、例えば３条の雄ネジ）６０が設けられた雄ネジ筒部５７が、本実施例においては、前記囲壁部４５と略面一状態で突設されている。そして、突き合わされた雄ネジ筒部５７，５７の外側に被るように、内周面に雌ネジ９２が設けられた前記連結筒体９１の長さ方向の略１／２部分９３，９４が前記雄ネジ筒部５７，５７に螺合することにより、管体６，６相互を該連結筒体９１を介して連結一体化可能となされている。
【００６３】
図３１は、前記連結筒体９１を一方の止水キャップ部材１０Ａの前記雄ネジ筒部５７Ａにのみ螺合させた状態を示すものである。この状態で、両止水キャップ部材１０Ａ，１０Ｂの連通せしめられた収容凹部４０，４０が形成する収容空所１３に前記と同様構成の連結杆７を収容した状態で両雄ネジ筒部５７Ａ，５７Ｂの端部相互を突き合わせ、その後、図３２〜３３に示すように、該連結筒体９１を他方の雄ネジ筒部５７Ｂにも螺合させることにより、管体６，６相互を連結杆７を芯材として強固に連結できる。この螺合状態において、前記連結筒体９１の一端に内方に突出するように設けられた係合鍔部９５が前記一方の止水キャップ部材１０Ａの前記囲壁部４５の先端９６に当接することにより、該連結筒体９１が抜け止めされる。
【実施例４】
【００６４】
本発明は、前記実施の形態で示したものに限定されるものでは決してなく、「特許請求の範囲」の記載内で種々の設計変更が可能であることはいうまでもない。その一例を挙げれば次のようである。
【００６５】
(1) 前記係合連結片７５，７５の相対的な回動による連結一体化手段としては、前記実施例２で示したものの他、両係合連結片７５，７５を止水キャップ部材の軸線回りに相対的に逆方向に回動（一方の係合連結片を他方の係合連結片に対して相対的に回動）することにより分離可能に係合一体化できる各種の公知手段を採用できる。
【００６６】
(2) 両収容凹部４０，４０が連なって形成された収容空所１３に収容される連結杆７は、前記した鋼製パイプを以って構成するのが好ましいが、中実棒状のものであってもよい。又、管体相互の連結を強固に行い得るものであれは鋼製のものには限らず、樹脂製や木製等のものであってもよい。
又該連結杆７の長さは、収容空所１３に収容されることによって管体６，６相互を強固に連結できる限り、その長さは例えば３０〜５０ｍｍの範囲で所要に設定できる。
【００６７】
(3) 本発明に係る装置は、主として園芸用に用いられるが、屋外で使用される各種の管体の止水連結装置に応用できる。
【００６８】
(4) 連結される管体６は伸縮式のものであってもよい。
【００６９】
(5) 前記実施例においては、連結される管体が同径のものを示したが、例えば図３４に示すように、連結される管体６，６の直径が異なることもある。
【００７０】
(6) 図３５は、止水キャップ部材１０のその他の態様を示すものであり、前記囲壁部４５を、前記構成の挿入筒部３７とは別体の囲壁部材９７を以って構成し、該囲壁部材９７を挿入筒部３７に組み合わせて止水キャップ部材１０を構成している。
なお本実施例において挿入筒部３７は、先側部分の外周面１００がテーパ状面として形成された有底の円筒状に形成されており、その内部空間が、連結杆７を収容させる収容凹部４０として形成されている。そして図３５に係る装置１にあっては、実施例２で示したと同様の構成で、両管体６，６の端部分に装着された止水キャップ部材１０，１０の端部に設けられた係合連結片７５，７５が分離可能に係合一体化されている。このように囲壁部材９７を用いて止水キャップ部材１０を構成する考え方は、一方の止水キャップ部材の端部に設けられた雄ネジ連結片と他方の止水キャップ部材の端部に設けられた雌ネジ連結片とをねじ込みにより分離可能に係合一体化する場合においても採用できる。
【図面の簡単な説明】
【００７１】
【図１】本発明に係る装置を応用して構成された管体の連結体を用いて構成された雨除けを示す斜視図である。
【図２】本発明に係る装置により管体相互を連結した状態を示す断面図である。
【図３】雨除けを構成する支持枠体を示す斜視図である。
【図４】本発明に係る装置を構成する止水キャップ部材を、管体及び連結杆と共に示す一部欠切斜視図である。
【図５】止水キャップ部材を示す斜視図である。
【図６】その断面図である。
【図７】止水キャップ部材を管体の下端部分に装着した状態を示す断面図である。
【図８】止水キャップ部材の収容凹部に連結杆を収容する工程を説明する断面図である。
【図９】本発明に係る装置を構成する止水キャップ部材を、管体及び連結杆と共に示す一部欠切斜視図である。
【図１０】止水キャップ部材の他の態様を示す斜視図である。
【図１１】その断面図である。
【図１２】その止水キャップ部材を管体の上端部分に装着した状態を示す断面図である。
【図１３】管体相互の連結状態を示す断面図である。
【図１４】管体の下端に取り付ける円錐状の下端キャップの構成をその取り付け状態と共に示す説明図である。
【図１５】直線状横管体相互を連結して構成した横繋ぎ杆の管体連結部分を示す断面図である。
【図１６】直線状横管体の端部に取り付ける端部キャップの構成をその取り付け状態と共に示す説明図である。
【図１７】栽培支柱の一例を示す斜視図である。
【図１８】栽培支柱の上端に取り付ける上端キャップの構成をその取り付け状態と共に示す説明図である。
【図１９】本発明に係る装置を応用して管体相互を連結した状態を示す断面図である。
【図２０】その装置を構成する一方の止水キャップ部材を、管体及び連結杆と共に示す一部欠切斜視図である。
【図２１】その止水キャップ部材を示す斜視図である。
【図２２】その断面図である。
【図２３】一方の止水キャップ部材における係合連結片の構成を示す断面図である。
【図２４】一方の止水キャップ部材を管体の下端部分に装着した状態を示す断面図である。
【図２５】他方の止水キャップ部材を、管体及び連結杆と共に示す一部欠切斜視図である。
【図２６】他方の止水キャップ部材を示す斜視図である。
【図２７】その断面図である。
【図２８】その止水キャップ部材を管体の上端部分に装着した状態を示す断面図である。
【図２９】軸線回りの相対的な回動によって止水キャップ部材相互を連結した状態を示す断面図である。
【図３０】連結筒体を用いる本発明に係る装置を説明する分解斜視図である。
【図３１】連結筒体を一方の止水キャップ部材にのみ取り付けた状態を示す断面図である。
【図３２】連結筒体により管体相互を連結した状態を示す断面図である。
【図３３】その斜視図である。
【図３４】本発明に係る装置を用いて、直径の異なる管体相互を連結した状態を示す断面図である。
【図３５】本発明に係る装置の他の実施例を示す断面図である。
【図３６】従来の雨除けを示す斜視図である。
【図３７】その雨除けを構成する支持枠体を示す斜視図である。
【図３８】その支持枠体を構成するＵ型支柱の構成を説明する説明図である。
【図３９】パイプ相互を連結した状態を示す断面図である。
【図４０】その支持枠体を構成する横繋ぎ杆の構成を説明する斜視図である。
【図４１】パイプ相互を連結した状態を示す部分断面図である。
【符号の説明】
【００７２】
１  装置
６  管体
７  連結杆
９  端部開口
１０  止水キャップ部材
１１  収容凹所
１２  連結杆
１３  収容空所
３２  筒体
３５  外突条
３６  傾斜面
３７  挿入筒部
４０  収容凹部
４２  内突条
４３  環状鍔部
４５  囲壁部
４７  環状嵌入溝
４９  雌ネジ筒部
５７  雄ネジ筒部
７５  係合連結片
７６  係合筒部
７７  内環状鍔部
７９  導入溝
８６  係合筒部
８７  係合突部
９１  連結筒体
【図１】
2006105239.tif 000003
【図２】
2006105239.tif 000004
【図３】
2006105239.tif 000005
【図４】
2006105239.tif 000006
【図５】
2006105239.tif 000007
【図６】
2006105239.tif 000008
【図７】
2006105239.tif 000009
【図８】
2006105239.tif 000010
【図９】
2006105239.tif 000011
【図１０】
2006105239.tif 000012
【図１１】
2006105239.tif 000013
【図１２】
2006105239.tif 000014
【図１３】
2006105239.tif 000015
【図１４】
2006105239.tif 000016
【図１５】
2006105239.tif 000017
【図１６】
2006105239.tif 000018
【図１７】
2006105239.tif 000019
【図１８】
2006105239.tif 000020
【図１９】
2006105239.tif 000021
【図２０】
2006105239.tif 000022
【図２１】
2006105239.tif 000023
【図２２】
2006105239.tif 000024
【図２３】
2006105239.tif 000025
【図２４】
2006105239.tif 000026
【図２５】
2006105239.tif 000027
【図２６】
2006105239.tif 000028
【図２７】
2006105239.tif 000029
【図２８】
2006105239.tif 000030
【図２９】
2006105239.tif 000031
【図３０】
2006105239.tif 000032
【図３１】
2006105239.tif 000033
【図３２】
2006105239.tif 000034
【図３３】
2006105239.tif 000035
【図３４】
2006105239.tif 000036
【図３５】
2006105239.tif 000037
【図３６】
2006105239.tif 000038
【図３７】
2006105239.tif 000039
【図３８】
2006105239.tif 000040
【図３９】
2006105239.tif 000041
【図４０】
2006105239.tif 000042
【図４１】
2006105239.tif 000043